【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
弾性体と、前記弾性体に固定された第１の電気−機械エネルギー変換素子及び第２の電気−機械エネルギー変換素子と、を備える振動子の駆動回路であって、
前記振動体に、互いに次数の異なる第１の振動モードの振動及び第２の振動モードの振動を重ね合わせた振動を発生させる周波数と、異なる位相と、を持つ波形の交番電圧が前記第１及び第２の電気−機械エネルギー変換素子の夫々に印加され、
前記電気−機械エネルギー変換素子に直列に接続されたインダクタとキャパシタとを有し、
前記インダクタと前記キャパシタとによる直列共振周波数をｆｓとし、前記振動体の共振周波数をｆｍとした場合に、
０．７３・ｆｍ＜ｆｓ＜１．２・ｆｍ
を満たすことを特徴とする振動体の駆動回路。
【請求項２】
弾性体と、前記弾性体に固定された第１の電気−機械エネルギー変換素子及び第２の電気−機械エネルギー変換素子と、を備える振動子の駆動回路であって、
前記振動体に、互いに次数の異なる第１の振動モードの振動及び第２の振動モードの振動を重ね合わせた振動を発生させる周波数と、異なる位相と、を持つ波形の交番電圧が前記第１及び第２の電気−機械エネルギー変換素子の夫々に印加され、
交番電圧が印加される１次側のコイルと、前記電気−機械エネルギー変換素子に並列に接続された２次側のコイルと、からなるトランスと、
前記トランスの１次側及び２次側のうち少なくとも一方に、前記電気−機械エネルギー変換素子に直列に接続されたインダクタとキャパシタと、を有し、
前記インダクタと前記キャパシタとによる直列共振周波数をｆｓとし、前記振動体の共振周波数をｆｍとした場合に、
０．７３・ｆｍ＜ｆｓ＜１．２・ｆｍ
を満たすことを特徴とする振動体の駆動回路。
【請求項３】
前記インダクタは、前記トランスの漏洩インダクタンスであることを特徴とする請求項２に記載の振動体の駆動回路。
【請求項４】
前記電気−機械エネルギー変換素子に印加される交番電圧のピーク周波数をｆｅ、前記振動体の駆動周波数をｆｄとした場合に、
ｆｅ＜２・ｆｄ
を満たすことを特徴とする請求項１乃至３のいずれか１項に記載の振動体の駆動回路。
【請求項５】
前記振動体に振動を発生させることにより、前記振動体上の粉体を駆動することを特徴とする請求項１乃至４にいずれか１項に記載の振動体の駆動回路。
【請求項６】
前記粉体は塵埃であり、前記振動体上の塵埃を駆動して除去することを特徴とする請求項５に記載の振動体の駆動回路。
【請求項７】
請求項１乃至６のいずれか１項に記載の駆動回路と、前記駆動回路により駆動される振動体と、前記振動体の前記弾性体を透過した光が入射する位置に設けられた受光素子と、を備えることを特徴とする光学機器。
【請求項８】
弾性体に固定された電気−機械エネルギー変換素子に交番電圧を印加することにより、前記電気−機械エネルギー変換素子と前記弾性体とから少なくとも構成される振動体に振動を発生させる振動体の駆動回路であって、
前記振動体に次数の異なる第１の振動モードの振動と第２の振動モードの振動とを時間的に切替えて発生させ、
前記電気−機械エネルギー変換素子に直列に接続されたインダクタとキャパシタとを有し、
前記インダクタと前記キャパシタとによる直列共振周波数をｆｓとし、前記振動体の共振周波数をｆｍとした場合に、
０．７３・ｆｍ＜ｆｓ＜１．２・ｆｍ
を満たすことを特徴とする振動体の駆動回路。
【請求項９】
弾性体に固定された電気−機械エネルギー変換素子に交番電圧を印加することにより、前記電気−機械エネルギー変換素子と前記弾性体とから少なくとも構成される振動体に振動を発生させる振動体の駆動回路であって、
前記振動体に次数の異なる第１の振動モードの振動と第２の振動モードの振動とを時間的に切替えて発生させ、
交番電圧が印加される１次側のコイルと、前記電気−機械エネルギー変換素子に並列に接続された２次側のコイルと、からなるトランスと、
前記トランスの１次側及び２次側のうち少なくとも一方に、前記電気−機械エネルギー変換素子に直列に接続されたインダクタとキャパシタと、を有し、
前記インダクタと前記キャパシタとによる直列共振周波数をｆｓとし、前記振動体の共振周波数をｆｍとした場合に、
０．７３・ｆｍ＜ｆｓ＜１．２・ｆｍ
を満たすことを特徴とする振動体の駆動回路。
【請求項１０】
前記インダクタは、前記トランスの漏洩インダクタンスであることを特徴とする請求項９に記載の振動体の駆動回路。
【請求項１１】
前記電気−機械エネルギー変換素子に印加される交番電圧のピーク周波数をｆｅ、前記振動体の駆動周波数をｆｄとした場合に、
ｆｅ＜２・ｆｄ
を満たすことを特徴とする請求項８乃至１０のいずれか１項に記載の振動体の駆動回路。
【請求項１２】
前記振動体に振動を発生させることにより、前記振動体上の粉体を駆動することを特徴とする請求項８乃至１１にいずれか１項に記載の振動体の駆動回路。
【請求項１３】
前記粉体は塵埃であり、前記振動体上の塵埃を駆動して除去することを特徴とする請求項１２に記載の振動体の駆動回路。
【請求項１４】
請求項８乃至１３のいずれか１項に記載の駆動回路と、前記駆動回路により駆動される振動体と、前記振動体の前記弾性体を透過した光が入射する位置に設けられた受光素子と、を備えることを特徴とする光学機器。
【手続補正２】
【補正対象書類名】明細書
【補正対象項目名】０００９
【補正方法】変更
【補正の内容】
【０００９】
本発明の一様態は、弾性体と、前記弾性体に固定された第１の電気−機械エネルギー変換素子及び第２の電気−機械エネルギー変換素子と、を備える振動子の駆動回路であって、前記振動体に、互いに次数の異なる第１の振動モードの振動及び第２の振動モードの振動を重ね合わせた振動を発生させる周波数と、異なる位相と、を持つ波形の交番電圧が前記第１及び第２の電気−機械エネルギー変換素子の夫々に印加され、前記電気−機械エネルギー変換素子に直列に接続されたインダクタとキャパシタとを有し、前記インダクタと前記キャパシタとによる直列共振周波数をｆｓとし、前記振動体の共振周波数をｆｍとした場合に、０．７３・ｆｍ＜ｆｓ＜１．２・ｆｍを満たす、振動体の駆動回路に関する。
また、本発明の一様態は、弾性体と、前記弾性体に固定された第１の電気−機械エネルギー変換素子及び第２の電気−機械エネルギー変換素子と、を備える振動子の駆動回路であって、前記振動体に、互いに次数の異なる第１の振動モードの振動及び第２の振動モードの振動を重ね合わせた振動を発生させる周波数と、異なる位相と、を持つ波形の交番電圧が前記第１及び第２の電気−機械エネルギー変換素子の夫々に印加され、交番電圧が印加される１次側のコイルと、前記電気−機械エネルギー変換素子に並列に接続された２次側のコイルと、からなるトランスと、前記トランスの１次側及び２次側のうち少なくとも一方に、前記電気−機械エネルギー変換素子に直列に接続されたインダクタとキャパシタと、を有し、前記インダクタと前記キャパシタとによる直列共振周波数をｆｓとし、前記振動体の共振周波数をｆｍとした場合に、０．７３・ｆｍ＜ｆｓ＜１．２・ｆｍを満たすことを特徴とする振動体の駆動回路に関する。
更に、本発明の一様態は、弾性体に固定された電気−機械エネルギー変換素子に交番電圧を印加することにより、前記電気−機械エネルギー変換素子と前記弾性体とから少なくとも構成される振動体に振動を発生させる振動体の駆動回路であって、前記振動体に次数の異なる第１の振動モードの振動と第２の振動モードの振動とを時間的に切替えて発生させ、前記電気−機械エネルギー変換素子に直列に接続されたインダクタとキャパシタとを有し、前記インダクタと前記キャパシタとによる直列共振周波数をｆｓとし、前記振動体の共振周波数をｆｍとした場合に、０．７３・ｆｍ＜ｆｓ＜１．２・ｆｍを満たすことを特徴とする振動体の駆動回路に関する。
また、本発明の一様態は、弾性体に固定された電気−機械エネルギー変換素子に交番電圧を印加することにより、前記電気−機械エネルギー変換素子と前記弾性体とから少なくとも構成される振動体に振動を発生させる振動体の駆動回路であって、前記振動体に次数の異なる第１の振動モードの振動と第２の振動モードの振動とを時間的に切替えて発生させ、交番電圧が印加される１次側のコイルと、前記電気−機械エネルギー変換素子に並列に接続された２次側のコイルと、からなるトランスと、前記トランスの１次側及び２次側のうち少なくとも一方に、前記電気−機械エネルギー変換素子に直列に接続されたインダクタとキャパシタと、を有し、前記インダクタと前記キャパシタとによる直列共振周波数をｆｓとし、前記振動体の共振周波数をｆｍとした場合に、０．７３・ｆｍ＜ｆｓ＜１．２・ｆｍを満たすことを特徴とする振動体の駆動回路に関する。